(57)【要約】【課題】地図の視認性を向上させることができる誘導装置を提供すること。【解決手段】誘導装置は、画像を表示する画像表示ユニットと、地図表示ユニットと、操作エリア表示ユニットと、操作検出ユニットと、機能実現ユニットと、を備える。地図表示ユニットは、地図を画像表示ユニットに表示する。操作エリア表示ユニットは、ユーザの操作対象となる操作画像の少なくとも一部を含む操作エリアを地図とともに画像表示ユニットに表示する。操作検出ユニットは、操作画像に対するユーザの操作を検出する。機能実現ユニットは、操作検出ユニットが検出したユーザの操作に応じて機能を実現する。操作画像は大きさ操作画像を含む。大きさ操作画像に対するユーザの操作を操作検出ユニットが検出した場合、機能実現ユニットは、操作エリアの大きさを変更する。【選択図】図１
2018189909.tif 000002
【特許請求の範囲】
【請求項１】
誘導装置であって、
画像を表示する画像表示ユニットと、
地図を前記画像表示ユニットに表示する地図表示ユニットと、
ユーザの操作対象となる操作画像の少なくとも一部を含む操作エリアを前記地図とともに前記画像表示ユニットに表示する操作エリア表示ユニットと、
前記操作画像に対するユーザの操作を検出する操作検出ユニットと、
前記操作検出ユニットが検出した前記ユーザの操作に応じて機能を実現する機能実現ユニットと、
を備え、
前記操作画像は大きさ操作画像を含み、
前記大きさ操作画像に対するユーザの操作を前記操作検出ユニットが検出した場合、前記機能実現ユニットは、前記操作エリアの大きさを変更するように構成された誘導装置。
【請求項２】
誘導装置であって、
画像を表示する画像表示ユニットと、
地図を前記画像表示ユニットに表示する地図表示ユニットと、
ユーザの操作対象となる操作画像の少なくとも一部を含む操作エリアを前記地図とともに前記画像表示ユニットに表示する操作エリア表示ユニットと、
前記操作画像に対するユーザの操作を検出する操作検出ユニットと、
前記操作検出ユニットが検出した前記ユーザの操作に応じて機能を実現する機能実現ユニットと、
を備え、
前記操作画像は大きさ操作画像を含み、
前記大きさ操作画像に対するユーザの操作を前記操作検出ユニットが検出した場合、前記機能実現ユニットは、前記操作エリアの領域を拡大又は縮小し、拡大又は縮小された前記領域の大きさを維持するように構成された誘導装置。
【請求項３】
請求項１又は２に記載の誘導装置であって、
前記操作画像は変更操作画像を含み、
前記変更操作画像に対するユーザの操作を前記操作検出ユニットが検出した場合、前記機能実現ユニットは、前記操作エリアに含まれる前記操作画像の少なくとも一部を、前記変更操作画像に予め関連付けられた前記操作画像に変更するように構成された誘導装置。
【請求項４】
請求項３に記載の誘導装置であって、
前記機能実現ユニットは、前記操作エリアに含まれる前記操作画像の少なくとも一部を、前記変更操作画像に予め関連付けられた前記操作画像に変更する際に、前記変更操作画像に予め関連付けられた前記操作画像の意味を表す文字情報を表示し、前記文字情報の表示の所定時間後に、前記変更操作画像に予め関連付けられた前記操作画像を表示するアニメーション表示を行うように構成された誘導装置。
【請求項５】
請求項１〜４のいずれか１項に記載の誘導装置であって、
前記誘導装置の状態が、予め設定された特定状態であることを検出する状態検出ユニットと、
前記状態検出ユニットが前記特定状態を検出した場合、前記操作エリアに含まれる前記操作画像の少なくとも一部を、前記特定状態に予め関連付けられた前記操作画像に変更する操作画像変更ユニットと、
をさらに備える誘導装置。
【請求項６】
請求項１〜５のいずれか１項に記載の誘導装置であって、
前記操作エリア表示ユニットは、前記操作エリアを表示しない状態の後、前記操作エリアを表示する場合、前記操作エリアを表示しない状態の直前に前記操作エリアに含まれていた前記操作画像の少なくとも一部を、前記操作エリアに含むように構成された誘導装置。
【請求項７】
請求項１〜６のいずれか１項に記載の誘導装置であって、
前記操作画像は移行操作画像を含み、
前記移行操作画像に対するユーザの操作を前記操作検出ユニットが検出した場合、前記機能実現ユニットは、前記画像表示ユニットに、前記地図を表示することなく、前記操作画像を表示する誘導装置。
【請求項８】
請求項１〜７のいずれか１項に記載の誘導装置であって、
前記操作エリア表示ユニットは、前記操作エリアを前記画像表示ユニットにおける下方に表示するように構成された誘導装置。
【発明の詳細な説明】
【技術分野】
【０００１】
本開示は誘導装置に関する。
【背景技術】
【０００２】
従来、特許文献１に記載されているカーナビゲーション装置が知られている。このカーナビゲーション装置は、画面上に地図とボタンとを表示する。ユーザがボタンを押すと、何らかの機能が実現される。
【先行技術文献】
【特許文献】
【０００３】
【特許文献１】特開２０１６−２４１１２号公報
【発明の概要】
【発明が解決しようとする課題】
【０００４】
特許文献１に記載のカーナビゲーション装置において、ボタンは常時同じ大きさで表示される。そのため、画面における地図の表示領域は、ボタンによって常に狭められている。その結果、地図の視認性が低下してしまう。本開示は、地図の視認性を向上させることができる誘導装置を提供する。  
【課題を解決するための手段】
【０００５】
本開示の一局面は、誘導装置であって、画像を表示する画像表示ユニットと、地図を前記画像表示ユニットに表示する地図表示ユニットと、ユーザの操作対象となる操作画像の少なくとも一部を含む操作エリアを前記地図とともに前記画像表示ユニットに表示する操作エリア表示ユニットと、前記操作画像に対するユーザの操作を検出する操作検出ユニットと、前記操作検出ユニットが検出した前記ユーザの操作に応じて機能を実現する機能実現ユニットと、を備え、前記操作画像は大きさ操作画像を含み、前記大きさ操作画像に対するユーザの操作を前記操作検出ユニットが検出した場合、前記機能実現ユニットは、前記操作エリアの大きさを変更するように構成された誘導装置である。
【０００６】
本開示の一局面である誘導装置は、大きさ操作画像に対するユーザの操作に応じて、操作エリアの大きさを変更することができる。そのため、例えば、ユーザは、大きさ操作画像を操作することで操作エリアを大きくしておき、操作エリアに含まれる操作画像に対する操作を容易に行うことができる。また、ユーザは、大きさ操作画像を操作することで操作エリアを小さくし、地図の視認性を高めることができる。
【０００７】
本開示の他の局面は、誘導装置であって、画像を表示する画像表示ユニットと、地図を前記画像表示ユニットに表示する地図表示ユニットと、ユーザの操作対象となる操作画像の少なくとも一部を含む操作エリアを前記地図とともに前記画像表示ユニットに表示する操作エリア表示ユニットと、前記操作画像に対するユーザの操作を検出する操作検出ユニットと、前記操作検出ユニットが検出した前記ユーザの操作に応じて機能を実現する機能実現ユニットと、を備え、前記操作画像は大きさ操作画像を含み、前記大きさ操作画像に対するユーザの操作を前記操作検出ユニットが検出した場合、前記機能実現ユニットは、前記操作エリアの領域を拡大又は縮小し、拡大又は縮小された前記領域の大きさを維持するように構成された誘導装置である。
【０００８】
本開示の他の局面である誘導装置は、大きさ操作画像に対するユーザの操作に応じて、操作エリアの領域を拡大又は縮小し、拡大又は縮小された操作エリアの領域を維持することができる。そのため、例えば、ユーザは、大きさ操作画像を操作することで操作エリアの領域を拡大し、拡大された領域を維持しておき、操作エリアに含まれる操作画像に対する操作を容易に行うことができる。また、ユーザは、大きさ操作画像を操作することで操作エリアの領域を縮小し、縮小された領域を維持することで、地図の視認性を高めることができる。
【図面の簡単な説明】
【０００９】
【図１】カーナビゲーション装置１の構成を表すブロック図である。
【図２】制御部１７の機能的構成を表すブロック図である。
【図３】制御部１７が実行する処理を表すフローチャートである。
【図４】ディスプレイ７に表示された地図３５、操作エリア３７、操作画像３９等を表す説明図である。
【図５】ディスプレイ７に表示された地図３５、操作エリア３７、操作画像３９等を表す説明図である。
【図６】ディスプレイ７に表示された地図３５、操作エリア３７、操作画像３９等を表す説明図である。
【図７】ディスプレイ７に表示された地図３５、操作エリア３７、操作画像３９等を表す説明図である。
【図８】ディスプレイ７に表示された地図３５、操作画像３９等を表す説明図である。
【図９】ディスプレイ７に表示された地図３５、操作エリア３７、操作画像３９等を表す説明図である。
【発明を実施するための形態】
【００１０】
本開示の実施形態を説明する。
＜第１実施形態＞
１．カーナビゲーション装置１の構成
カーナビゲーション装置１の構成を図１、図２に基づき説明する。カーナビゲーション装置１は車両に搭載される。カーナビゲーション装置１を搭載する車両を以下では自車両とする。カーナビゲーション装置１は誘導装置に対応する。
【００１１】
図１に示すように、カーナビゲーション装置１は、ＧＰＳ受信機３と、自律航法センサ５と、ディスプレイ７と、タッチパネル９と、オーディオユニット１０と、制御部１１と、を備える。
【００１２】
ＧＰＳ受信機３は、ＧＰＳ衛星からＧＰＳ情報を受信する。ＧＰＳ情報には位置情報と時刻情報とが含まれる。自律航法センサ５は、ジャイロセンサ、加速度センサ、車速パルスセンサ等を含む。カーナビゲーション装置１は、ＧＰＳ受信機３と、自律航法センサ５とを組み合わせて使用することで、自車両の現在位置を取得することができる。
【００１３】
ディスプレイ７は自車両の車室内に設けられている。ディスプレイ７は画像を表示可能である。ディスプレイ７は画像表示ユニットに対応する。タッチパネル９は、ディスプレイ７の画面に重畳配置されている。タッチパネル９は複数のマトリクススイッチを備えている。タッチパネル９は、ユーザの指の接触による操作を検出することができる。
【００１４】
オーディオユニット１０は自車両の車室内に設けられている。オーディオユニット１０は、メディア１１を収容可能なトレイ１３を備えている。メディア１１にはオーディオ情報が記憶されている。オーディオユニット１０は、メディア１１に記憶されたオーディオ情報を読み出し、オーディオ情報に基づき音声を再生することができる。トレイ１３は開閉可能である。トレイ１３が開の状態のとき、メディア１１をトレイ１３に挿入することもできるし、メディア１１をトレイ１３から取り出すこともできる。オーディオユニット１０は、センサ１５を備えている。センサ１５は、トレイ１３の状態が開／閉のうちのどちらであるかを判断する。また、センサ１５は、トレイ１３にメディア１１が挿入されているか否かを判断する。
【００１５】
制御部１７は、ＣＰＵ１９と、ＲＡＭ、ＲＯＭ、フラッシュメモリ等の半導体メモリ（以下、メモリ２１とする）と、を有する周知のマイクロコンピュータを中心に構成される。制御部１７の各種機能は、ＣＰＵ１９が非遷移的実体的記録媒体に格納されたプログラムを実行することにより実現される。この例では、メモリ２１が、プログラムを格納した非遷移的実体的記録媒体に該当する。また、このプログラムが実行されることで、プログラムに対応する方法が実行される。なお、制御部１７を構成するマイクロコンピュータの数は１つでも複数でもよい。
【００１６】
制御部１７は、ＣＰＵ１９がプログラムを実行することで実現される機能の構成として、図２に示すように、地図表示ユニット２３と、操作エリア表示ユニット２５と、操作検出ユニット２７と、機能実現ユニット２９と、状態検出ユニット３１と、操作画像変更ユニット３３と、を備える。制御部１７を構成するこれらの要素を実現する手法はソフトウェアに限るものではなく、その一部又は全部の要素について、一つあるいは複数のハードウェアを用いて実現してもよい。例えば、上記機能がハードウェアである電子回路によって実現される場合、その電子回路は多数の論理回路を含むデジタル回路、又はアナログ回路、あるいはこれらの組合せによって実現してもよい。
【００１７】
カーナビゲーション装置１は、一般的なカーナビゲーション装置と同様の機能を有する。その機能として、例えば、以下の機能がある。ユーザの操作に応じて目的地を検索する機能。検索結果の中から、ユーザの操作に応じて目的地を確定する機能。ＧＰＳ受信機３及び自律航法センサ５を用いて自車両の現在位置を取得する機能。自車両の現在地を含む範囲の地図をディスプレイ７に表示する機能。自車両の現在位置から確定した目的地までのルートを設定し、設定したルートを地図に重畳してディスプレイ７に表示する機能。自車両をルートに沿って目的地に誘導するための案内を行う機能。ユーザの操作に応じてトレイ１３を開閉する機能。ユーザの操作に応じてオーディオユニット１０を動作させる機能。設定されたルートに関する情報をディスプレイ７に表示する機能（以下ではルート情報表示機能とする）。
【００１８】
２．カーナビゲーション装置１が実行する処理
（２−１）カーナビゲーション装置１が実行する処理を説明する。図４〜図９に示すように、地図表示ユニット２３は、ディスプレイ７に地図３５を表示する。地図３５に対応する地図情報はメモリ２１に記憶されている。
【００１９】
また、図４〜図７、図９に示すように、操作エリア表示ユニット２５は、ディスプレイ７に操作エリア３７を表示する。操作エリア３７は地図３５とともに表示される。操作エリア３７は地図３５よりも下方に位置する。操作エリア３７が地図３５よりも下方に位置することにより、地図３５における自車両の進行方向に該当する部分が操作エリア３７により隠れてしまうことを抑制できる。
【００２０】
操作エリア３７はディスプレイ７における下方に表示される。従来技術（特開２０１６−０２４１１２号公報記載の技術）では、ディスプレイの上方に表示するが、自車両の進行方向である地図上部をできる限り広く確認できると安心するというユーザーニーズを踏まえ、操作エリア３７は下方表示としている。
【００２１】
操作エリア３７は矩形の領域である。地図３５の面積と、操作エリア３７の面積との比率は、例えば、３２：１３程度とすることができる。この比率の場合、地図３５と、操作エリア３７との両方を見やすくすることができる。また、上記の比率の場合、地図３５を表示する領域を２画面に分割したときでも、それぞれの画面が見やすくなる。
【００２２】
操作エリア３７は、その中に複数の操作画像３９を含む。操作画像３９は、操作エリア３７の中に加えて、操作エリア３７の外に存在してもよい。操作エリア３７が表示されているとき、ディスプレイ７に表示される複数の操作画像３９のうち、少なくとも一部の操作画像３９は操作エリア３７に含まれる。
【００２３】
操作画像３９はユーザの操作対象となる。ユーザが操作画像３９の１つを操作したとき、操作検出ユニット２７は、タッチパネル９を用いてその操作を検出する。ユーザの操作として、例えば、ユーザの指が操作画像３９を押圧する操作等が挙げられる。
【００２４】
機能実現ユニット２９は、操作検出ユニット２７が検出したユーザの操作に応じて機能を実現する。実現する機能として、例えば、目的地の検索、目的地の確定、自車両の現在位置から目的地までのルートの設定、自車両をルートに沿って目的地に誘導するための案内の開始又は終了、トレイ１３の開閉、オーディオユニット１０の各種動作等が挙げられる。操作画像３９には複数の種類がある。機能実現ユニット２９が実現する機能は、ユーザが操作する操作画像３９の種類ごとに異なる。
【００２５】
（２−２）図４〜図９に示すように、操作画像３９は大きさ操作画像３９Ａを含む。すなわち、大きさ操作画像３９Ａは、操作画像３９の一種である。大きさ操作画像３９Ａに対するユーザの操作を操作検出ユニット２７が検出した場合、機能実現ユニット２９は、操作エリア３７の大きさを変更する。
【００２６】
操作エリア３７の状態として、図４〜図７、図９に示すように、拡大した状態と、図８に示すように、縮小した状態とがある。縮小した状態は、操作エリア３７が全く表示されない状態であってもよいし、拡大した状態に比べて小さく表示される状態であってもよい。縮小した状態のとき、操作エリア３７に含まれていた操作画像３９の少なくとも一部は、表示されなくなるか、拡大した状態のときに比べて縮小して表示される。
【００２７】
操作エリア３７が拡大した状態において、大きさ操作画像３９Ａに対するユーザの操作を操作検出ユニット２７が検出した場合、機能実現ユニット２９は、操作エリア３７を縮小した状態にする。  また、操作エリア３７が縮小した状態において、大きさ操作画像３９Ａに対するユーザの操作を操作検出ユニット２７が検出した場合、機能実現ユニット２９は、操作エリア３７を拡大した状態にする。
【００２８】
大きさ操作画像３９Ａをユーザが指でディスプレイ７の端側に向かってスライドさせることにより、操作エリア３７の領域が縮小する。また、大きさ操作画像３９Ａをユーザが指でディスプレイ７の内側に向かってスライドさせることにより、操作エリア３７の領域が拡大する。ユーザが大きさ操作画像３９Ａを操作した分だけ、操作エリア３７の領域が拡大又は縮小する。ユーザが指で大きさ操作画像３９Ａをスライドさせ、ある位置で指を大きさ操作画像３９から離すと、指を離した位置で操作エリア３７が固定され、その後、固定された表示状態が維持される。すなわち、大きさ操作画像３９Ａに対するユーザの操作によって、操作エリア３７の領域が拡大した場合は、指を大きさ操作画像３９Ａから離した後は、拡大された領域の大きさを維持する。また、大きさ操作画像３９Ａに対するユーザの操作によって、操作エリア３７の領域が縮小した場合は、指を大きさ操作画像３９Ａから離した後は、縮小された領域の大きさを維持する。
【００２９】
（２−３）図４〜図７、図９に示すように、操作画像３９は変更操作画像３９Ｂを含む。すなわち、変更操作画像３９Ｂは操作画像３９の一種である。変更操作画像３９Ｂは、例えば、アニメーションを含む。変更操作画像３９Ｂに対するユーザの操作を操作検出ユニット２７が検出した場合、機能実現ユニット２９は、操作エリア３７に含まれる複数の操作画像３９の少なくとも一部を、操作された変更操作画像３９Ｂに予め関連付けられた操作画像３９に変更する。
【００３０】
また、機能実現ユニット２９は、操作エリア３７に含まれる複数の操作画像３９の少なくとも一部を、操作された変更操作画像３９Ｂに予め関連付けられた操作画像３９に変更する際に、まず、操作された変更操作画像３９Ｂに予め関連付けられた操作画像３９の意味を表す文字情報を表示し、文字情報の表示開始の所定時間後に、操作された変更操作画像３９Ｂに予め関連付けられた操作画像３９を表示するアニメーション表示を行う。前記所定時間は、例えば、１秒程度である。
【００３１】
この処理の例を図４、図６、図９を用いて説明する。図４に示す状態において、ユーザが変更操作画像３９Ｂであって、矢印のアニメーションが付されたものを操作する。操作検出ユニット２７は、その操作を検出する。その後、図９に示すように、機能実現ユニット２９は、操作エリア３７に情報４１を表示する。この情報４１は、後に操作エリア３７に表示する操作画像３９に関する情報である。情報４１は文字情報である。
【００３２】
情報４１の表示開始の所定時間（例えば１秒程度）後、図６に示すように、機能実現ユニット２９は、操作エリア３７に含まれる複数の操作画像３９の少なくとも一部を変更する。変更後の操作画像３９は、矢印のアニメーションが付された変更操作画像３９Ｂに予め関連付けられた操作画像３９である。変更後の操作画像３９は、アニメーション表示により表示される。
【００３３】
なお、変更操作画像３９Ｂに予め関連付けられた操作画像３９が既に操作エリア３７に表示されていた場合は、その変更操作画像３９Ｂをユーザが操作しても、機能実現ユニット２９は、操作エリア３７に含まれる操作画像３９を変更しない。
【００３４】
変更操作画像３９Ｂには複数の種類がある。変更操作画像３９Ｂに対する操作に応じて機能実現ユニット２９が操作エリア３７に新たに表示する操作画像３９は、変更操作画像３９Ｂの種類ごとに異なる。変更操作画像３９Ｂと、新たに表示する操作画像３９との関連性は、例えば、メモリ２１に予め記憶されている。その関連性の記憶は、例えば、カーナビゲーション装置１の製造時に行われる。
【００３５】
（２−４）制御部１７は、所定時間ごとに、図３に示す処理を繰り返し実行する。ステップ１では、カーナビゲーション装置１の状態が、予め設定された第１特定状態であるか否かを状態検出ユニット３１が判断する。第１特定状態とは、自車両を目的地に誘導するための案内が実行されている状態である。第１特定状態である場合はステップ２に進み、第１特定状態ではない場合はステップ３に進む。なお、ステップ２に進むことは、第１特定状態を検出することに対応する。
【００３６】
ステップ２では、操作画像変更ユニット３３が、操作エリア３７に含まれる複数の操作画像３９の少なくとも一部を、ルート情報表示機能に関する操作画像３９とする。ルート情報表示機能に関する操作画像３９を含む操作エリア３７の例を図５に示す。
【００３７】
ユーザがルート情報表示機能に関する操作画像３９を操作すると、機能実現ユニット２９が、ルート情報表示機能を実現する。ルート情報表示機能に関する操作画像３９は、第１特定状態に予め関連付けられた操作画像に対応する。また、操作画像変更ユニット３３は、案内を実行しているルートに関する情報４２を操作エリア３７に表示する。
【００３８】
ステップ３では、カーナビゲーション装置１の状態が、予め設定された第２特定状態であるか否かを状態検出ユニット３１が判断する。第２特定状態とは、トレイ１３が開き、メディア１１が挿入された状態である。状態検出ユニット３１は、センサ１５を用いて上記の判断を行う。第２特定状態である場合はステップ４に進み、第２特定状態ではない場合はステップ５に進む。なお、ステップ４に進むことは、第２特定状態を検出することに対応する。
【００３９】
ステップ４では、操作画像変更ユニット３３が、操作エリア３７に含まれる複数の操作画像３９の少なくとも一部を、オーディオ機能に関する操作画像３９とする。オーディオ機能に関する操作画像３９を含む操作エリア３７の例を図４に示す。
【００４０】
ユーザがオーディオ機能に関する操作画像３９を操作すると、機能実現ユニット２９が、オーディオに関する機能を実現する。オーディオ機能に関する操作画像３９は、第２特定状態に予め関連付けられた操作画像に対応する。また、操作画像変更ユニット３３は、オーディオに関する情報４３を操作エリア３７に表示する。
【００４１】
ステップ５では、カーナビゲーション装置１の状態が、予め設定された第３特定状態であるか否かを状態検出ユニット３１が判断する。第３特定状態とは、オーディオユニット１０が音声を再生している状態である。第３特定状態である場合はステップ４に進み、第３特定状態ではない場合は、操作エリア３７に含まれる操作画像３９を変更することなく、本処理を終了する。なお、ステップ４に進むことは、第３特定状態を検出することに対応する。第１〜第３特定状態と操作画像３９との関連性は、例えば、メモリ２１に予め記憶されている。その関連性の記憶は、例えば、カーナビゲーション装置１の製造時に行われる。
【００４２】
（２−５）操作エリア表示ユニット２５は、操作エリア３７を表示している状態の後、操作エリア３７を表示しない状態（以下では不表示状態とする）を経て、再び操作エリア３７を表示する場合がある。そのような場合として、例えば、操作エリア３７を表示している状態の後、ディスプレイ７の全画面にメニュー画面を表示し、その後再び操作エリア３７を表示する場合が挙げられる。また、不表示状態を経て、再び操作エリア３７を表示する場合として、例えば、操作エリア３７を表示している状態の後、カーナビゲーション装置１の電源をオフにし、その後再び操作エリア３７を表示する場合が挙げられる。カーナビゲーション装置１の電源がオフになる状態として、例えば、自車両のイグニッションがオフになる状態が挙げられる。
【００４３】
操作エリア表示ユニット２５は、不表示状態の後、操作エリア３７を表示する場合、不表示状態の直前に操作エリア３７に含まれていた複数の操作画像３９の少なくとも一部を、不表示状態の後に表示する操作エリア３７に含む。操作エリア表示ユニット２５は、不表示状態の後、操作エリア３７を表示する場合、例えば、不表示状態の直前に操作エリア３７に含まれていた複数の操作画像３９の全てを、不表示状態の後に表示する操作エリア３７に含むことができる。
【００４４】
（２−６）操作画像３９は、移行操作画像を含む。すなわち、移行操作画像は操作画像３９の一種である。移行操作画像に対するユーザの操作を操作検出ユニット２７が検出した場合、機能実現ユニット２９は、ディスプレイ７の全体にメニュー画面を表示する。このとき、ディスプレイ７に地図３５は表示されない。メニュー画面には、複数の操作画像３９が含まれる。メニュー画面に含まれる操作画像３９の数は、操作エリア３７に含まれる操作画像３９の数よりも多い。メニュー画面に含まれる操作画像３９を操作することにより、操作エリア３７に含まれる操作画像３９を操作するよりも、実現する機能を詳細に設定することができる。
【００４５】
３．カーナビゲーション装置１が奏する効果
（１Ａ）カーナビゲーション装置１は、大きさ操作画像３９Ａに対するユーザの操作に応じて、操作エリア３７の大きさを変更することができる。そのため、ユーザは、大きさ操作画像３９Ａを操作することで操作エリア３７を大きくしておき、操作エリア３７に含まれる操作画像３９に対する操作を容易に行うことができる。また、ユーザは、大きさ操作画像３９Ａを操作することで操作エリア３７を小さくし、地図３５の視認性を高めることができる。
【００４６】
（１Ｂ）カーナビゲーション装置１は、変更操作画像３９Ｂに対するユーザの操作を検出した場合、操作エリア３７に含まれる複数の操作画像３９の少なくとも一部を、操作された変更操作画像３９Ｂに予め関連付けられた操作画像３９に変更する。そのため、ユーザは、変更操作画像３９Ｂを操作することで、所望の操作画像３９を操作エリア３７に容易に表示することができる。
【００４７】
また、カーナビゲーション装置１は、変更操作画像３９Ｂに対するユーザの操作を検出した場合、情報４１を表示する。この情報４１は、後に操作エリア３７に表示する操作画像３９に関する情報である。そのため、ユーザは、情報４１を見ることで、後に操作エリア３７に表示される操作画像３９の内容を容易に理解することができる。  
【００４８】
（１Ｃ）カーナビゲーション装置１は、第１特定状態を検出した場合、操作エリア３７に含まれる複数の操作画像３９の少なくとも一部を、第１特定状態に予め関連付けられた操作画像３９に変更する。また、カーナビゲーション装置１は、第２特定状態又は第３特定状態を検出した場合、操作エリア３７に含まれる複数の操作画像３９の少なくとも一部を、第２特定状態及び第３特定状態に予め関連付けられた操作画像３９に変更する。そのため、カーナビゲーション装置１は、カーナビゲーション装置１の状態に応じた操作画像３９を操作エリア３７に含むことができる。
【００４９】
（１Ｄ）カーナビゲーション装置１は、不表示状態の後、操作エリア３７を表示する場合、不表示状態の直前に操作エリア３７に含まれていた複数の操作画像３９の少なくとも一部を、操作エリア３７に含む。そのため、不表示状態の後、操作エリア３７を表示する場合、ユーザにとって必要性が高い操作画像３９を操作エリア３７に含むことができる。
【００５０】
（１Ｅ）カーナビゲーション装置１は、移行操作画像に対するユーザの操作を検出した場合、ディスプレイ７の全体にメニュー画面を表示する。そのため、ユーザは、メニュー画面を容易に表示することができる。
＜他の実施形態＞
以上、本開示の実施形態について説明したが、本開示は上述の実施形態に限定されることなく、種々変形して実施することができる。
【００５１】
（１）本開示を、カーナビゲーション装置以外の誘導装置に適用してもよい。カーナビゲーション装置以外の誘導装置として、例えば、携帯端末等が挙げられる。携帯端末として、例えば、スマートフォン、携帯電話、タブレットＰＣ、ＰＤＡ等が挙げられる。
【００５２】
（２）地図３５と操作エリア３７との相対的な位置関係は、上述した位置関係以外であってもよい。例えば、操作エリア３７は地図３５の上方、右方、左方等に位置してもよい。
【００５３】
（３）タッチパネル９以外の手段により操作画像３９へのユーザの操作を検出してもよい。例えば、カメラ画像等を用いて、操作画像３９へのユーザの操作を検出してもよい。
（４）大きさ操作画像、変更操作画像、移行操作画像は、操作エリア３７の中にあってもよいし、操作エリア３７の外にあってもよい。
【００５４】
（５）第１〜第３特定状態は、上述した状態以外の状態であってもよく、適宜設定できる。また、第１〜第３特定状態に予め関連付けられた操作画像３９は上述したもの以外であってもよく、適宜設定できる。
【００５５】
（６）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００５６】
（７）上述したカーナビゲーション装置の他、当該カーナビゲーション装置を構成要素とするシステム、当該カーナビゲーション装置の制御部としてコンピュータを機能させるためのプログラム、このプログラムを記録した半導体メモリ等の非遷移的実態的記録媒体、車両の誘導方法等、種々の形態で本開示を実現することもできる。
【符号の説明】
【００５７】
１…カーナビゲーション装置、３…ＧＰＳ受信機、５…自律航法センサ、７…ディスプレイ、９…タッチパネル、１０…オーディオユニット、１１…メディア、１３…トレイ、１５…センサ、１７…制御部、１９…ＣＰＵ、２１…メモリ、２３…地図表示ユニット、２５…操作エリア表示ユニット、２７…操作検出ユニット、２９…機能実現ユニット、３１…状態検出ユニット、３３…操作画像変更ユニット、３７…操作エリア、３９…操作画像、３９Ａ…大きさ操作画像、３９Ｂ…変更操作画像、４１、４２、４３…情報
【図１】
2018189909.tif 000003
【図２】
2018189909.tif 000004
【図３】
2018189909.tif 000005
【図４】
2018189909.tif 000006
【図５】
2018189909.tif 000007
【図６】
2018189909.tif 000008
【図７】
2018189909.tif 000009
【図８】
2018189909.tif 000010
【図９】
2018189909.tif 000011